(57)【要約】【課題】  かぶりを充分に確保できない状態に偏芯配置した屋外構築物の支柱を偏芯基礎部材を用いることによって高度な支柱設置強度を得られるように設置する。【解決手段】  一対の縦部材１，２を四隅のバー材４で連結し，バー材４に支柱押え部材６をスライド移動と固定自在に設置して偏芯基礎部材Ａを形成し，この偏芯基礎部材Ａを基礎空間１０に捨て配置してその一方の縦部材１と支柱押え部材６によって偏芯配置した支柱１１を挟持して該支柱１１を仮止め起立し，基礎空間１０にコンクリート１３を打設してこれらを一体的に硬化固定する。【選択図】        図３
2006152586.tif 000002
【特許請求の範囲】
【請求項１】
基礎空間内の一方に偏芯配置した支柱を仮止め起立してコンクリートを打設することによって該支柱設置強度を確保するように基礎空間に捨て設置して使用する偏芯基礎部材であって，支柱の偏芯側及び非偏芯側に配置した一対の縦部材と，該縦部材を前後で連結する連結部材と，該連結部材をスライドガイドとして該一対の縦部材間のスライド移動とその長手方向任意位置の固定を自在とした支柱押え部材とを備え，上記一対のうち偏芯側に位置する縦部材と非偏芯側に位置する支柱押え部材とによって基礎空間内偏芯配置の支柱下端を挟持して該支柱を仮止め起立自在としてなることを特徴とする支柱基礎用偏芯基礎部材。
【請求項２】
上記一対の縦部材を，上記支柱の側面より前後に幅広のプレートによって形成するとともに連結部材をその前後端部間に架設配置することによって支柱の前後側面との間にコンクリート打設空間を配置してなることを特徴とする請求項１に記載の支柱基礎用偏芯基礎部材。
【請求項３】
上記前後の連結部材を，上記一対の縦部材の上下に配置し，該上下の各前後連結部材間にそれぞれ支柱押え部材を配置することによって支柱下端の挟持を上下２箇所において行なってなることを特徴とする請求項１又は２に記載の支柱基礎用偏芯基礎部材。
【請求項４】
上記前後の連結部材をバー材によって形成し，上記支柱押え部材を前後方向中間位置に配置した上記支柱の非偏芯側側面に突き当て圧着するネジ螺装用のナット孔と該ナット孔に対して上下に変位した前後方向両端位置に配置し且つ上記バー材より上下に径大としたバー材挿通用の透孔とを有するプレートによって形成し，上記前後の連結部材を前後の透孔に挿通することによって上記支柱押え部材の連結部材に対するスライド移動を自在とするとともに上記ナット孔に螺装したネジの非偏芯側側面への突き当て圧着により左右方向に傾斜した支柱押え部材における透孔上下のエッジを連結部材に引掛状に係止することによって上記支柱押え部材の連結部材に対する長手方向任意位置の固定を自在としてなることを特徴とする請求項１，２又は３に記載の支柱基礎用偏芯基礎部材。
【請求項５】
上記支柱押え部材のバー材挿通用の透孔配置間隔を，バー材による連結部材の配置間隔より僅かに異なる寸法に設定し上記支柱押え部材のスライド移動を前後の連結部材を圧縮又は拡張状態に行なうようにしてなることを特徴とする請求項４に記載の支柱基礎用偏芯基礎部材。
【請求項６】
上記支柱押え部材のプレートを，上下中間位置で屈曲した断面く字状としその一方に上記ネジ螺装用のナット孔を，他方に透孔を配置してなることを特徴とする請求項４又は５に記載の支柱基礎用偏芯基礎部材。
【請求項７】
支柱の偏芯側及び非偏芯側に配置した一対の縦部材と，該縦部材を前後で連結する連結部材と，該連結部材をスライドガイドとして該一対の縦部材間のスライド移動とその長手方向任意位置の固定とを自在とした支柱押え部材とを備えた偏芯基礎部材を用い，該偏芯基礎部材を基礎空間内に捨て配置して基礎空間内の一方に偏芯配置した支柱を仮止め起立し，該仮止め起立後に該基礎空間にコンクリートを打設して偏芯配置した支柱の支柱設置強度を確保することを特徴とする偏芯基礎部材を用いた基礎形成方法。
【発明の詳細な説明】
【技術分野】
【０００１】
本発明はカーポート，バルコニー，フェンス等の屋外構築物の支柱を起立設置するに際して基礎空間に捨て設置する支柱基礎用偏芯基礎部材及びこれを用いた基礎形成方法に関する。
【背景技術】
【０００２】
この種基礎は，基礎空間（基礎穴といってもよい）の中間に支柱を配置した後に，該基礎空間にコンクリートを打設して支柱下端を直に埋込むことによってこれを形成するものとされており，この場合アルミニウム合金の支柱については国土交通省告示によって埋込深さは支柱幅の２倍以上とし，またかぶり，即ち基礎空間の壁面と支柱間の距離は支柱幅以上確保するものとされている。
【０００３】
【特許文献１】東洋エクステリア株式会社発行「２００４  エクステリア総合カタログ」１２２５項
【発明の開示】
【発明が解決しようとする課題】
【０００４】
屋外構築物の支柱設置位置には，例えば水道メーターの如き埋込障害物が存在する等の理由によって必要な基礎空間を設置できないこともあり，この場合埋込障害物等を避けるように基礎空間を設置すると基礎空間内の一方に支柱が偏芯配置される結果，上記告示に添う柱幅以上のかぶりを確保できず支柱設置強度を得られないこととなるため屋外構築物の設置を断念せざるを得ないケースも生じる。
【０００５】
本発明はかかる事情に鑑みてなされたもので，その課題とするところは，偏芯配置することによってかぶりを確保し得ない場合に使用し得て，可及的簡易な構造にして高度な支柱設置強度を発揮して支柱を安定且つ確実に支柱を立設できるようにした支柱基礎用偏芯基礎部材を提供するにあり，またこれを用いた基礎形成方法を提供するにある。
【課題を解決するための手段】
【０００６】
上記課題に添って本発明は，基礎に捨て設置する偏芯基礎部材を併用することによって支柱下端を直にコンクリート躯体に埋め込む国土交通省告示の定める支柱設置とは異なる形態として支柱の偏芯設置を可能とする一方，偏芯基礎部材で基礎空間内に偏芯配置した支柱下端を挟持して支柱を仮止め起立した状態で該基礎空間へコンクリートを打設することによりこれらを一体的に硬化固定して基礎空間にかぶりを確保し得ないときでも偏芯基礎部材が支柱下端の偏芯した側を支持することによって支柱の垂直荷重及び水平荷重を充分に確保して高度な支柱設置強度を得られる支柱の立設を可能としたものである。
【０００７】
請求項１に記載の発明は，これを，基礎空間内の一方に偏芯配置した支柱を仮止め起立してコンクリートを打設することによって該支柱設置強度を確保するように基礎空間に捨て設置して使用する偏芯基礎部材であって，支柱の偏芯側及び非偏芯側に配置した一対の縦部材と，該縦部材を前後で連結する連結部材と，該連結部材をスライドガイドとして該一対の縦部材間のスライド移動とその長手方向任意位置の固定を自在とした支柱押え部材とを備え，上記一対のうち偏芯側に位置する縦部材と非偏芯側に位置する支柱押え部材とによって基礎空間内偏芯配置の支柱下端を挟持して該支柱を仮止め起立自在としてなることを特徴とする支柱基礎用偏芯基礎部材としたものである。
【０００８】
請求項２に記載の発明は，上記に加えて，基礎空間に打設するコンクリートが行きわたらずに支柱とコンクリート間に空隙が生じることによって支柱の支持が不充分になるのを防止したものとし得るように，これを，上記一対の縦部材を，上記支柱の側面より前後に幅広のプレートによって形成するとともに連結部材をその前後端部間に架設配置することによって支柱の前後側面との間にコンクリート打設空間を配置してなることを特徴とする請求項１に記載の支柱基礎用偏芯基礎部材としたものである。
【０００９】
請求項３に記載の発明は，同じく上記に加えて，偏芯基礎部材による支柱の仮止め起立を安定且つ確実になし得るものとするように，これを，上記前後の連結部材を，上記一対の縦部材の上下に配置し，該上下の各前後連結部材間にそれぞれ支柱押え部材を配置することによって支柱下端の挟持を上下２箇所において行なってなることを特徴とする請求項１又は２に記載の支柱基礎用偏芯基礎部材としたものである。
【００１０】
請求項４に記載の発明は，上記連結部材にスライド移動自在に配置した支柱押え部材を，特段の固定金具等の部材を使用することなく上記連結部材に対して固定し得るようにして，偏芯基礎部材を可及的に簡単な構造としながら支柱の仮止め起立を確実になし得るものとするように，これを，上記前後の連結部材をバー材によって形成し，上記支柱押え部材を前後方向中間位置に配置した上記支柱の非偏芯側側面に突き当て圧着するネジ螺装用のナット孔と該ナット孔に対して上下に変位した前後方向両端位置に配置し且つ上記バー材より上下に径大としたバー材挿通用の透孔とを有するプレートによって形成し，上記前後の連結部材を前後の透孔に挿通することによって上記支柱押え部材の連結部材に対するスライド移動を自在とするとともに上記ナット孔に螺装したネジの非偏芯側側面への突き当て圧着により左右方向に傾斜した支柱押え部材における透孔上下のエッジを連結部材に引掛状に係止することによって上記支柱押え部材の連結部材に対する長手方向任意位置の固定を自在としてなることを特徴とする請求項１，２又は３に記載の支柱基礎用偏芯基礎部材としたものである。
【００１１】
請求項５に記載の発明は，上記支柱押え部材の透孔と連結部材の間隔を寸法的に僅かに異なるように配置して支柱押え部材が連結部材を圧縮又は拡張した状態でスライド移動することによって上記エッジの引掛状の係止と透孔の側部との３点によって行なって支柱押え部材の安定且つ強固な固定をなし得るように，これを，上記支柱押え部材のバー材挿通用の透孔配置間隔を，バー材による連結部材の配置間隔より僅かに異なる寸法に設定し上記支柱押え部材のスライド移動を前後の連結部材を圧縮又は拡張状態に行なうようにしてなることを特徴とする請求項４に記載の支柱基礎用偏芯基礎部材としたものである。
【００１２】
請求項６に記載の発明は，上記支柱の非偏芯側側面を挟持する支柱押え部材の剛性を可及的高度に確保して支柱の仮止め起立を確実強固に行うとともにネジ螺装用の透孔を支柱と可及的に直交して配置することによってネジの安定した突き当て圧着をなし得るものとするように，これを，上記支柱押え部材のプレートを，上下中間位置で屈曲した断面く字状としその一方に上記ネジ螺装用のナット孔を，他方に透孔を配置してなることを特徴とする請求項４又は５に記載の支柱基礎用偏芯基礎部材としたものである。
【００１３】
請求項７に記載の発明は，上記偏芯基礎部材を併用して，基礎空間にかぶりを確保し得ないときでも偏芯基礎部材が支柱下端の偏芯した側を支持することによって高度な支柱設置強度を確保して安定且つ確実に支柱の立設をなし得るようにした基礎形成方法を提供し得るように，これを，支柱の偏芯側及び非偏芯側に配置した一対の縦部材と，該縦部材を前後で連結する連結部材と，該連結部材をスライドガイドとして該一対の縦部材間のスライド移動とその長手方向任意位置の固定とを自在とした支柱押え部材とを備えた偏芯基礎部材を用い，該偏芯基礎部材を基礎空間内に捨て配置して基礎空間内の一方に偏芯配置した支柱を仮止め起立し，該仮止め起立後に該基礎空間にコンクリートを打設して偏芯配置した支柱の支柱設置強度を確保することを特徴とする偏芯基礎部材を用いた基礎形成方法としたものである。
【００１４】
本発明はこれらをそれぞれ発明に要旨として上記課題解決の手段としたものである。
【発明の効果】
【００１５】
本発明は以上のとおりに構成したから，請求項１に記載の発明は，基礎に捨て設置する偏芯基礎部材を併用することによって支柱下端を直にコンクリート躯体に埋め込む国土交通省告示の定める支柱設置とは異なる形態として支柱の偏芯設置を可能とする一方，偏芯基礎部材で基礎空間内に偏芯配置した支柱下端を挟持して支柱を仮止め起立した状態で該基礎空間へコンクリートを打設することによりこれらを一体的に硬化固定して，基礎空間にかぶりを確保し得ないときでも偏芯基礎部材が支柱下端の偏芯した側を支持することによって，可及的簡易な構造にして高度な支柱設置強度を発揮して安定且つ確実に支柱を立設できるようにした支柱基礎用偏芯基礎部材を提供することができる。
【００１６】
請求項２に記載の発明は，上記に加えて，基礎空間に打設するコンクリートが行きわたらずに支柱とコンクリート間に空隙が生じることによって支柱の支持が不充分になるのを防止したものとすることができる。
【００１７】
請求項３に記載の発明は，同じく上記に加えて，偏芯基礎部材を可及的簡易な構造にして支柱の仮止め起立を確実になし得る好ましい形態のものとすることができる。
【００１８】
請求項４に記載の発明は，上記連結部材にスライド移動自在に配置した支柱押え部材を，特段の固定金具等の部材を使用することなく上記連結部材に対して固定し得るようにして，偏芯基礎部材を可及的に簡単な構造としながら支柱の仮止め起立を確実になし得るものとすることができる。
【００１９】
請求項５に記載の発明は，上記支柱押え部材の透孔と連結部材の間隔を寸法的に僅かに異なるように配置して支柱押え部材が連結部材を圧縮又は拡張した状態でスライド移動することによって上記エッジの引掛状の係止と透孔の側部との３点によって行なって支柱押え部材の安定且つ強固な固定をなし得るものとすることができる。
【００２０】
請求項６に記載の発明は，上記支柱の非偏芯側側面を挟持する支柱押え部材の剛性を可及的高度に確保して支柱の仮止め起立を確実強固に行うとともにネジ螺装用の透孔を支柱と可及的に直交して配置することによってネジの安定した突き当て圧着をなし得るものとすることができる。
【００２１】
請求項７に記載の発明は，上記偏芯基礎部材を併用して，基礎空間にかぶりを確保し得ないときでも偏芯基礎部材が支柱下端の偏芯した側を支持することによって高度な支柱設置強度を確保して安定且つ確実に支柱の立設をなし得るようにした基礎形成方法を提供することができる。
【発明を実施するための最良の形態】
【００２２】
以下図面の例に従って本発明を更に具体的に説明すれば，Ａは支柱基礎用偏芯基礎部材であり，該偏芯基礎部材Ａは，基礎空間１０内の一方に偏芯配置した支柱１１を仮止め起立してコンクリート１３を打設することによって該支柱１１の支柱設置強度を確保するように基礎空間１０に捨て設置して使用するものとしてあり，支柱１１の偏芯側及び非偏芯側に配置した一対の縦部材１，２と，該縦部材１，２を連結する前後に一対の連結部材４と，該連結部材４をスライドガイドとして一対の縦部材１，２間でスライド移動と長手方向任意位置の固定を自在とした支柱押え部材６とを備え，上記一対のうち偏芯側の縦部材１と支柱押え部材６とによって基礎空間１０内偏芯配置の支柱１１下端を挟持して支柱１１を仮止め起立自在としたものとしてある。
【００２３】
本例の支柱基礎用偏芯基礎部材Ａは，その一対の縦部材１，２，連結部材４及び支柱押え部材６をそれぞれ金属によって構成した金属製，例えば鋼製のものとしてあり，このとき本例にあって上記一対の縦部材１，２は，これを，支柱１１の側面より前後に幅広のプレートによって形成するとともに連結部材４をその前後端部間に架設配置することによって支柱１１の前後側面との間にコンクリート打設空間を配置したものとしてあり，該前後の連結部材４は，これを，上記一対の縦部材１，２の上下に配置し，該上下の各前後連結部材間にそれぞれ支柱押え部材６を配置することによって支柱１１下端の挟持を上下２箇所において行なったものとしてある。
【００２４】
即ち本例においてプレートによって形成した一対の縦部材１，２は，例えば厚さ３ｍｍ程度の鋼板を用いて形成するとともにその前後方向，即ちプレート幅方向の両端を断面コ字状をなすように折曲して前後両端に折曲片を形成することによって支柱１１支持のための剛性を確保したものとしてあり，このとこ該縦部材１，２の高さは，これを３５〜５０ｃｍ程度とし，前後幅は，支柱１１の上記側面，即ち偏芯側と非偏芯側の側面の前後幅より幅広の，例えば２０〜２５ｃｍ程度としたものとし，上記折曲片を対向方向に向けるように該一対の縦部材１，２を配置して連結部材４によって連結するものとしてある。
【００２５】
本例において上記前後の連結部材４は，これをバー材によって形成してあり，本例の連結部材４は，径を１〜１．５ｃｍ程度，長さを２０〜８０ｃｍ程度としたバー材，例えば丸軸にしてその長手方向両端に雄ネジを刻設した両ネジボルトを用いたものとして，偏芯基礎部材Ａを現場で組立使用する組立式のものとしてある。
【００２６】
該両ネジボルトによる連結部材４は，本例にあって支柱１１の偏芯側に配置する一方の縦部材１のコーナー四隅に溶着したナット５にボルトの片側先端を螺装して固定する一方，支柱１１の非偏芯側に配置する他方の縦部材２のコーナー四隅に透設した透孔３にボルトの先端を挿通して該縦部材２を内側と外側で挟むように内外一対のナット５の螺装によって該他方の縦部材５に固定することによって，一対の縦部材１，２の四隅のコーナーを前後上下の４箇所に合計４本の連結部材４，本例にあってボルトを架設固定し該一対の縦部材１，２を，これらの間に数拾ｃｍ乃至それ以上の間隔を置いて連結したものとしてある。
【００２７】
本例にあって支柱押え部材６は，これを，前後方向中間位置に配置した上記支柱１１の非偏芯側側面に突き当て圧着するネジ螺装用のナット孔８と該ナット孔８に対して上下に変位した前後方向両端位置に配置し且つ上記バー材より上下に径大としたバー材挿通用の透孔７とを有するプレートによって形成したものとしてあり，このとき本例の支柱押え部材６は，そのプレートを，上下中間位置で屈曲した断面く字状としその一方に上記ネジ螺装用のナット孔８を，他方に透孔７を配置したものとしてあり，上記前後の連結部材４を前後の透孔７に挿通することによって上記支柱押え部材６の連結部材４に対するスライド移動を自在とするとともに上記ナット孔８に螺装したネジ９の非偏芯側側面への突き当て圧着により左右方向に傾斜した支柱押え部材６における透孔７上下のエッジを連結部材４に引掛状に係止することによって上記支柱押え部材６の連結部材４に対する長手方向任意位置の固定を自在としたものとしてある。
【００２８】
即ち支柱押え部材６は，上記前後上下のうちそれぞれ前後の連結部材４を挿通するように架設配置した，例えば同じく３ｍｍ程度の鋼板を用い，内角を１５０〜１６０度程度とするように上下中間位置で屈曲することによって断面く字状とした高さを５ｃｍ程度，前後幅を上記一対の縦部材１，２より数ｃｍ程度幅広の２２〜２７ｃｍ程度とした屈曲プレートによるものとしてあり，その屈曲上片の長手方向中央位置に上記ナット孔８を，屈曲下片の長手方向両端部に透孔７を配置したものとしてあり，偏芯基礎部材Ａの組立に際して，一対の縦部材１，２の連結部材４による連結前に，それぞれ前後の連結部材４を透孔７に挿通することによって支柱押え部材６を一対の縦部材１，２間の上下にそれぞれスライド移動自在に配置したものとしてある。
【００２９】
該透孔７は，上記連結部材４のバー材より上下に径大の，例えば１〜２ｍｍ程度の僅少寸法分をバー材の径より上下に長くした長孔をなすものとし，透孔７に連結部材４が遊嵌するように挿通することによって支柱押え部材６がその配置状態で左右に起倒するように揺動自在としてあり，従って屈曲上片のナット孔８に螺装したネジ９を回転操作してその先端が支柱１１側面，即ちその非偏芯側側面に突き当て圧着して該屈曲上片が支柱１１と平行な垂直面をなすことによって屈曲下片が回動し，連結部材４のバー材を挿通した透孔７の上下エッジがバー材に引掛状に係止することによって，連結部材４に対してスライド移動自在に配置した支柱押え部材６の固定を，上記ネジ９の突き当て圧着に応じて連結部材４の長手方向任意位置においてなし得るようにしてある。
【００３０】
このとき本例にあって上記支柱押え部材６のバー材挿通用の透孔７配置間隔は，これを，バー材による連結部材４の配置間隔より僅かに異なる寸法に設定し上記支柱押え部材６のスライド移動を前後の連結部材４を圧縮又は拡張状態に行なうようにしてあり，これによって連結部材の前後方向圧縮又は拡張による抵抗を受けてスライド移動が重くなるが，常時透孔７がその前後側面で連結部材４に接触することにより支柱押え部材６の上記透孔７の上下の固定が該側面の接触状態でなされてその固定を透孔７の３点において行なう結果，支柱押え部材７の固定が安定且つ強固になし得るものとなる。
【００３１】
本例にあって該透孔７の配置間隔は，これをバー材による連結部材４の配置間隔より，例えば１〜２ｍｍ程度短寸とし又は長寸とすることによって，短寸のとき連結部材４を前後方向に圧縮状態とし，長寸のとき連結部材４を前後方向に拡張状態として支柱押え部材６のスライド移動を行なうようにしてあり，本例にあってはこれを短寸とすることによって連結部材４を圧縮状態としてそのスライド移動を行なうようにしてある。このとき配置間隔の寸法差を１〜２ｍｍ程度とすることによってスライド移動の自在性を損うことなく支柱押え部材６の上記安定且つ強固な固定を行なうことができる。
【００３２】
このように構成した偏芯基礎部材Ａを用いた支柱１１の立設を，その基礎形成方法によって説明すると，該偏芯基礎部材Ａを用い，これを基礎空間１０内に捨て配置して基礎空間１０内の一方に偏芯配置した支柱１１を仮止め起立し，該仮止め起立後に該基礎空間１０にコンクリート１３を打設して偏芯配置した支柱１１の支柱設置強度を確保するものとしてある。
【００３３】
即ちこれをより具体的にいえば，地表を掘下げて基礎穴，即ち基礎空間１０を形成する基礎空間形成工程と，該基礎空間１０の一方に底面に下端を載置することによって支柱１１を偏芯配置する支柱配置工程と，該偏芯配置した支柱１１の偏芯側の側面に一方の縦部材１を対接するように偏芯基礎部材Ａを基礎空間１０に捨て配置して支柱１１を仮止め起立する偏芯基礎部材配置工程と，基礎空間１０にコンクリート１３を打設するコンクリート打設工程とを備えるようにしたものとしてある。
【００３４】
このとき偏芯基礎部材配置工程は，例えばその偏芯基礎部材Ａの配置を，連結部材４のボルトの上記片側先端を螺装して固定した側の一方の縦部材１を基準の縦部材とするようにその内側面を支柱１１の偏芯側の側面，即ちかぶり不足側の側面に対接し，連結部材４のボルトに支柱押え部材６を配置し，長手方向中央位置のネジ９を支柱１１の非偏芯側の側面に圧着し，その後に他方の縦部材２を連結することによって，支柱１１を受け入れてその仮止め起立するようにすれば支柱１１を先行して配置した状態で該偏芯基礎部材Ａの配置を容易に行なうことができる。
【００３５】
偏芯基礎部材Ａは，これを，上記のとおりプレートとバー材による構造とし，また一対の縦部材１，２を支柱１１の偏芯側と非偏芯側の側面幅より幅広とし連結部材４のバー材をその前後端部に配置したことによって，コンクリート１３が空隙なく入り込んで一体的な固定を行なう結果，偏芯基礎部材Ａを用いながら，コンクリート１１の硬化固定による支柱１１支持の強度が損われるようなこともない。このように基礎空間１０内の一方に偏芯配置した支柱１１を捨て配置した偏芯基礎部材Ａによって仮止め起立してコンクリート１３を打設して形成したコンクリート基礎は，支柱１１の耐垂直荷重性及び耐水平荷重性を充分に確保して高度な支柱設置強度を発揮するに至り，例えばかぶりを確保できない理由ある場合の屋外構築物支柱の基礎に対する偏芯配置を強固且つ確実に支持して安定した起立状態とすることができる。
【００３６】
図中１２は，本例の支柱１１の下端部に貫通設置し，下位の連結部材４のボルトの下に係合することによって支柱１１の倒れ止めをなすようにしたアンカー棒である。
【００３７】
図示した例は以上のとおりとしたが，連結部材をプレート状のものとしてその対向面にガイド溝を形成して支柱押え部材のスライドガイドとすること，連結部材における支柱押え部材の固定を，該支柱押え部材が支柱の非偏芯側の側面に対接した状態で連結部材あるいは支柱押え部材の所定箇所に対してかしめを施し又はネジ止めする等の措置を施すことによって行なうようにすること，上記連結部材にボルトを使用するときボルト頭を一方の縦部材に直接に溶着してその固定を行なうこと等を含めて，本発明の実施に当って，縦部材，連結部材，支柱押え部材，支柱，基礎空間，コンクリート等の各具体的構造，形状，材質，これらの関係，これらに対する付加等は，上記発明の要旨に反しない限り様々な形態のものとすることができ，上記例のものに限定するには及ばない。
【図面の簡単な説明】
【００３８】
【図１】偏芯基礎部材を用いた支柱偏芯配置状態を示す基礎の正面側断面図である。
【図２】偏芯基礎部材を用いた支柱偏芯配置状態を示す基礎の側面側断面図である。
【図３】偏芯基礎部材の分解斜視図である。
【図４】偏芯基礎部材による支柱の仮止め起立状態を示す横断面図である。
【図５】支柱押え部材と連結部材及びネジとの関係を示す斜視図である。
【図６】支柱押え部材と連結部材及びネジとの関係を示す縦断面図である。
【符号の説明】
【００３９】
Ａ  偏芯基礎部材
１  縦部材
２  縦部材
４  連結部材
６  支柱押え部材
１０  基礎空間
１１  支柱
１２  コンクリート
【図１】
2006152586.tif 000003
【図２】
2006152586.tif 000004
【図３】
2006152586.tif 000005
【図４】
2006152586.tif 000006
【図５】
2006152586.tif 000007
【図６】
2006152586.tif 000008